(57)【特許請求の範囲】
【請求項１】
前脚と後脚と座を略扁平状に折り畳むことができる折畳み椅子において、前記座が座板と座フレームとを有し、前記座板はその左右側縁にそれぞれ該座板の表面側に突出する表側凸縁部と該座板の裏面側に突出する裏側凸縁部とを有し、前記表側凸縁部及び裏側凸縁部の高さがそれぞれ前記座フレームの断面高さの略半分とされ、前記座フレームはその断面高さの略半分が露出した状態で前記左右の裏側凸縁部間に嵌まり込むように前記座板の裏面に配設されており、且つ、折り畳んだ椅子を積み重ねたときに該座フレームの露出部分が他の椅子における左右の表側凸縁部の間に嵌まり込むように形成されていることを特徴とする折畳み椅子。
【請求項２】
前記表側凸縁部が前記座板の左右側縁及び後縁に沿って形成されており、前記裏側凸縁部が前記座板の前縁、左右側縁及び後縁に沿って形成されており、前記座フレームが前記座板の前縁、左右側縁及び後縁に沿ってループ状に形成されていることを特徴とする請求項１記載の折畳み椅子。
【請求項３】
前記座フレームが断面略円形の外周面を有し、前記表側凸縁部がその内側に前記座フレームの外周面と適合する湾曲面を有することを特徴とする請求項１又は２に記載の折畳み椅子。
【請求項４】
前記裏側凸縁部がその内側に前記座フレームの外周面と適合する湾曲面を有することを特徴とする請求項１から３までのいずれか１つに記載の折畳み椅子。
【請求項５】
前記座板が合成樹脂からなり、前記座フレームが金属パイプからなる請求項１から４までのいずれか１つに記載の折畳み椅子。
【発明の詳細な説明】
【０００１】
【発明の属する技術分野】
本発明は略扁平状に折り畳んで安定に積み重ねることができる折畳み椅子に関する。
【０００２】
【従来の技術】
従来より、略扁平状に折り畳むことができる折畳み椅子が広く用いられている。この種の折畳み椅子は、一般に、金属パイプを略Ｕ字形に成形し、その上端部に背もたれを取り付けてなる前脚と、同じく金属パイプを略Ｕ字形に成形してなる後脚と、前脚と後脚とに軸支される座とを備え、前脚と後脚とを接近することにより座が跳ね上がり、前脚、後脚、及び座を略扁平に折り畳むことができるように構成されている。
【０００３】
また、この種の折畳み椅子においては、折り畳んだ椅子を上下に積み重ねたときに椅子同士が横ずれを起こし崩落する虞れがあるため、従来より各種の横ずれ防止手段が考えられている。例えば実開平３−９６７４８号公報に記載された折畳み椅子においては、前脚の下端部に滑り止め部材が取り付けられており、折り畳んだ椅子を積み重ねたとき、下側の椅子の滑り止め部材に形成されている凹部に上側の椅子の前脚が嵌まり横ずれを防止するものとなっている。また、座は前脚及び後脚に連結されるフレームと、このフレームに取り付けられる座板とからなっており、座板の裏側周縁に隆起部を設け、この隆起部で囲まれた部分に下側の椅子の座板の上面が入り込むことにより、椅子の横ずれを防止するものとなっている。
【０００４】
また、特開平９−１０８０６３号公報に記載された折畳み椅子は、座板の後部上面に１又は複数の凹部又は凸部を設け、また裏面にはこの凹部又は凸部に対応する凸部又は凹部を設け、折り畳んだ椅子を積み重ねたときに下側の椅子における座板の表側の凹部又は凸部が上側の椅子における座板の裏側の凹部又は凸部に嵌合することにより椅子の横ずれを防止するものとなっている。
【０００５】
さらに、実開昭６０−１７０１５３号に記載された折畳み椅子は、折畳み時に前脚の外側に位置する後脚が椅子の積み重ね方向にずれて位置するように構成されており、これにより、折り畳んだ椅子の後部脚の内側に同じく折り畳んだ他の椅子の前脚を嵌め合わせて横ずれを防止するものとなっている。
【０００６】
【発明が解決しようとする課題】
前脚又は後脚に滑り止め部材を設けて横ずれを防止する構成の場合、前脚又は後脚に大きなサイズの滑り止め部材を取り付けることができないため、十分な横ずれ防止効果を得ることが難しい。
【０００７】
一方、座板の表面に１又は複数の凹部又は凸部を設け、裏面にこの凹部又は凸部と対応する凸部又は凹部を設けた構成の場合、座板の表面及び裏面に凹部又は凸部の配置スペースを確保する必要があり、凹部及び凸部を小さいものにすると凹部と凸部との位置合わせがやりずらくなるとともに、十分な横ずれ防止効果が得られなくなり、一方、凸部又は凹部を大きなものにすると座板の着座領域が狭まって座の使い勝手が悪くなり、或いは、座板が必要以上に大型化するといった問題が生じる。また、座板の表面又は裏面に凹部があるとゴミ等が溜まりやすくなり掃除がやっかいなものとなる。
【０００８】
さらに、座板の裏側周縁に隆起部を設け、この隆起部で囲まれた部分に下側の椅子における座板の上面を入り込ませるように形成した場合、座板の裏側周縁の隆起部で囲まれた領域は、別の椅子の座板上面と適合し得るようにスペースを空けておく必要があり、補強用リブや椅子フレームを配置できないこととなるため、座板の強度が低下するという弊害が生じる。
【０００９】
したがって、本発明の目的は、椅子の座の強度を低下させたり、座の使い心地を低下させることなく、椅子を折り畳んで積み上げる際に容易に且つ確実に椅子の横ずれを防止できる折畳み椅子を提供することにある。
【００１０】
【課題を解決するための手段】
上記課題を解決するために、本発明は、前脚と後脚と座を略扁平状に折り畳むことができる折畳み椅子において、前記座が座板と座フレームとを有し、前記座板はその左右側縁にそれぞれ該座板の表面側に突出する表側凸縁部と該座板の裏面側に突出する裏側凸縁部とを有し、前記表側凸縁部及び裏側凸縁部の高さがそれぞれ前記座フレームの断面高さの略半分とされ、前記座フレームはその断面高さの略半分が露出した状態で前記左右の裏側凸縁部間に嵌まり込むように前記座板の裏面に配設されており、且つ、折り畳んだ椅子を積み重ねたときに該座フレームの露出部分が他の椅子における左右の表側凸縁部の間に嵌まり込むように形成されていることを特徴とする折畳み椅子を提供する。
【００１１】
上記構成の折畳み椅子においては、座板はその左右側縁にそれぞれ該座板の表面側に突出する表側凸縁部と該座板の裏面側に突出する裏側凸縁部とを有しており、座フレームはその断面高さの略半分が露出した状態で左右の裏側凸縁部間に嵌まり込むように前記座板の裏面に配設されているので、座板を座フレームに取り付ける際の位置合わせが容易になるとともに、板と座フレームとを安定に取り付けることができる。また、座フレームは、折り畳んだ椅子を積み重ねたときに該座フレームの露出部分が他の椅子における左右の表側凸縁部の間に嵌まり込むように形成されているので、折り畳んだ椅子を積み重ねたときに座同士の横ずれを確実に防止することができ、椅子を安定に積み上げることができる。
しかも、表側凸縁部は座板の左右側縁に形成されて該座板の表面側に突出しているので、着座の邪魔になったり、座板の着座領域を実質上狭めたりすることなく、また、座板を必要以上に大サイズ化する必要なく、大きなサイズの横ずれ防止領域を確保することができる。また、座板の裏面に配設された座フレームを横ずれ防止に利用するので、座の強度を座フレームにより確保しつつ、且つ、座板自体に大きな剛性を必要とすることなく、横ずれ防止領域を確保することができる。
したがって、座板には良好な座り心地を確保しつつ、且つ、座の強度を低下させることなく、椅子を折り畳んで積み上げる際に容易に且つ確実に椅子の横ずれを防止できる折畳み椅子を提供することができる。
【００１２】
上記構成の折畳み椅子において、好ましくは、前記表側凸縁部が前記座板の左右側縁及び後縁に沿って形成され、前記裏側凸縁部が前記座板の前縁、左右側縁及び後縁に沿って形成され、前記座フレームが前記座板の前縁、左右側縁及び後縁に沿ってループ状に形成される。係る構成によれば、座の強度をループ状の座フレームによって一層効果的に確保することができる。
【００１３】
また好ましくは、前記座フレームが断面略円形の外周面を有し、前記表側凸縁部がその内側に前記座フレームの外周面と適合する湾曲面を有する。係る構成によれば、折り畳んだ椅子を上下に積み重ねるときに、座フレームと座板の表側凸縁部とが円弧状の湾曲面で嵌まり合うので、はめ込み時の位置合わせを一層容易に行うことができる。
【００１４】
【００１５】
また好ましくは、前記裏側凸縁部がその内側に前記座フレームの外周面と適合する湾曲面を有する。係る構成によれば、座板を座フレームに取り付ける際の位置合わせが一層容易になるとともに、座板と座フレームとを一層安定に取り付けることができる。
【００１６】
【００１７】
また好ましくは、前記座板が合成樹脂からなり、前記座フレームが金属パイプからなる。係る構成によれば、座の強度を金属製パイプからなる座フレームによって容易に確保しつつ、また座板には適度の弾性を持たせて座り心地を良好なものにしつつ、横ずれ防止領域を確保することができる。
【００１８】
【発明の実施の形態】
以下、図面を参照して本発明の好ましい実施形態を説明する。
【００１９】
【実施例】
図１から図６までは本発明の第１実施例を示すものであり、図１は折畳み椅子の斜視図、図２は図１に示す折畳み椅子の縦断面右側面図、図３は図１に示す折畳み椅子の図２中３−３線に沿った断面図、図４は図１R>１に示す折畳み椅子を２つ折り畳んで上下に重ねた状態を示す斜視図、図５は図４に示す２つの折畳み椅子の要部縦断面図、図６（ａ）、（ｂ）、（ｃ）はそれぞれ図４R>４に示す２つの折畳み椅子の図５中６ａ−６ａ線、６ｂ−６ｂ線及び６ｃ−６ｃ線に沿った断面図である。
【００２０】
はじめに図１及び図２を参照すると、折畳み椅子は、略Ｕ字状ないし略コ字状に成形した前脚２と、同じく略Ｕ字状ないし略コ字状に成形した後脚３とを有し、ここでは、前脚２及び後脚３は断面円形の外周面を有する金属製丸パイプで作られている。前脚２は左右脚柱部２ａ、２ｂの上端部が開放端となっており、左右脚柱部２ａ、２ｂの上端部に例えば合成樹脂からなる背もたれ４が取り付けられている。この背もたれ４は、左右脚柱部２ａ、２ｂの上端部に取り付けられる取付部４ａ、４ｂと、両取付部４ａ、４ｂ間を連結する帯状連結部４ｃとを有し、図２からわかるように、帯状連結部４ａはその前面側に後方に湾曲した凹部を形成するように、両取付部４ａ、４ｂ間で後方に湾曲して延びており、且つ、上端から下端に向かうに従って凹部の深さが増大するように形成されている。したがって、図５に示すように、２つの折畳み椅子を折り畳んで上下に重ねると、２つの折畳み椅子の背もたれ４、４が互いに重なり合うことにより、図５中上側の折畳み椅子が下側の折畳み椅子に対し図中右方に横ずれすることを防止できるものとなっている。
【００２１】
後脚３は同様に左右脚柱部３ａ、３ｂの上端が開放端となっており、且つ、図４に示すように、左右脚柱部３ａ、３ｂの上端部にそれぞれ伸縮ロッド５、６が取り付けられており、伸縮ロッド５、６の上端部５ａ、６ａがそれぞれ支軸７，８を介して前脚２の左右脚柱部２ａ、２ｂにおける高さ方向中間箇所に回動可能に連結されている。
【００２２】
折畳み椅子はさらに前脚２及び後脚３に連結されて支持される座９を有する。図１〜図３に示すように、座９は座板１０と、該座板１０の裏面に例えばねじ（図示省略）により取り付けられた座フレーム１１とを有し、ここでは、座フレーム１１は左右方向に延びる前杆１１ａ及び後杆１１ｂと、これら前杆１１ａ及び後杆１１ｂの左右端間で前後方向に延びる左右の側杆１１ｃ、１１ｄとを有し、略四角形のループ状に形成されている。そして、座フレーム１１は前座板１０の前縁１０ａ、左右側縁１０ｂ、１０ｃ及び後縁１ｄに沿って配設されている。また、この実施例では、座板１０は合成樹脂からなっており、座フレーム１１は断面略円形の外周面を有する金属製パイプからなっている。図１、図２及び図６（ｂ）に示すように、座フレーム１１の左右側杆１１ｃ、１１ｄは、その前後方向中間位置においてそれぞれ支軸１２，１３を介して前脚２の左右脚柱２ａ、２ｂに回動可能に連結されており、また、図１、図２及び図６（ｃ）に示すように、支軸１２、１３の後方において、座フレーム１１の左右側杆１１ｃ、１１ｄはそれぞれ後脚３の左右脚柱３ａ、３ｂに取り付けられた連結部材１４、１５に支軸１６、１７を介して回動可能に連結されている。
【００２３】
上記構成の折畳み椅子は、図１及び図２に示すように、前脚２及び後脚３立てて開脚させたとき、座９が前脚２及び後脚３によって略水平に支持されるように構成されており、また、座９の前端を上に跳ね上げて前脚２と後脚３を閉脚させると、図４〜図６に示すように、後脚３の伸縮ロッド５、６が伸びることにより、後脚３の内側に前脚２が納まり、また、前脚２の内側に座９が納まってこれらが略扁平状に折り畳まれるように構成されている。
【００２４】
図１〜図６に示すように、座板１０の表面には該座板１０の左右側縁及び後縁に沿って横ずれ規制部としての表側凸縁部１８が設けられている。この表側凸縁部１８は折畳み椅子を折り畳み上下に積み重ねたときに座フレーム１１の左右側杆１１ｃ、１１ｄの外側面と、後杆１１ｂの外側面が下側の折畳み椅子における座板１０の表側凸縁部１８の内側に嵌まり込むように形成されている。上述した用に、座フレーム１１は断面略円形の外周面を有しており、表側凸縁部１８はその内側に座フレーム１１の外周面と適合する湾曲面を有している。
【００２５】
また、この実施例では、座板１０の前縁、左右側縁及び後縁にそって全周にわたり、座板１０の裏面に座フレーム１１の外側面に当接するフレーム保持部としての裏側凸縁部１９が設けられている。そして、表側凸縁部１８及び裏側凸縁部１９の高さはそれぞれ座フレーム１１の断面高さ（直径）サイズの略半分とされている。
【００２６】
さらに、この実施例では、裏側凸縁部１９がその内側に座フレーム１１の外周面と適合する湾曲面を有している。
【００２７】
上記構成を有する折畳み椅子においては、折り畳んだ椅子を上下に積み重ねたときに背もたれ４が重なり合うとともに、上側の椅子における座フレーム１１の左右側杆１１ｃ、１１ｄの外側面と後杆１１ｂの外側面が下側の椅子における座板１０表側凸縁部１８の内側に嵌まり込むので、座９の左右方向及び前後方向への椅子の横ずれを防止することができ、椅子を安定に積み上げることができる。
【００２８】
また、座フレーム１１及び表側凸縁部１８のどちらも座板１０の左右側縁及び後縁に沿って配設されているので、座板１０の着座領域を実質上狭めることなく、また、座板１０を必要以上に大サイズ化する必要なく、大きなサイズの横ずれ防止領域を確保することができる。さらに、少なくとも座板１０の左右側縁及び後縁に沿って座板１０の裏面に配設された座フレーム１１を横ずれ防止に利用するので、座９の強度を座フレーム１１により確保しつつ、且つ、座板１０自体に大きな剛性を必要とすることなく、横ずれ防止領域を確保することができる。したがって、座板１０には適度の弾性による良好な座り心地を確保しつつ、且つ、座９の強度を低下させることなく、横ずれ防止領域を確保することができる。
【００２９】
また、上記実施例の構成においては、折り畳んだ椅子を上下に積み重ねるときに、座フレーム１１と座板１０の表面の表側凸縁部１８とが円弧状の湾曲面で嵌まり合うので、はめ込み時の位置合わせを一層容易に行うことができる。
【００３０】
さらに、座フレーム１１を座板１０の裏側凸縁部１９の内側に嵌め込んだ状態で座板１０の裏面に取り付けることができるので、座板１０を座フレーム１１に取り付ける際の位置合わせが容易になるとともに、座板１０と座フレーム１０とを安定に取り付けることができる。しかも、表側凸縁部１８及び裏側凸縁部１９の高さがそれぞれ座フレーム１１の断面高さサイズの略半分であるので、表側凸縁部１８と座フレーム１１との嵌め合わせによる横ずれ防止効果を十分確保することができる。
【００３１】
さらに、裏側凸縁部１９がその内側に座フレーム１１の外周面と適合する湾曲面を有するので、座板１０を座フレーム１１に取り付ける際の位置合わせが一層容易になるとともに、座板１０と座フレーム１１とを一層安定に取り付けることができる。
【００３２】
さらに、座フレーム１１が座板１０の前縁、左右側縁及び後縁に沿ってループ状に形成されているので、座９の強度をループ状の座フレーム１１によって一層効果的に確保することができる。
【００３３】
図７から図１０までは本発明の第２実施例を示したものであり、図７は折畳み椅子の斜視図、図８は図７に示す折畳み椅子の一部縦断面正面図、図９は図７R>７に示す折畳み椅子の縦断面右側面図、図１０は図１に示す折畳み椅子を２つ折り畳んで上下に重ねた状態を示す図６と類似の断面図である。これらの図において上記第１実施例と同様の構成要素には同一の参照符号が付されている。
【００３４】
図７〜図１０を参照すると、この実施例においては、座９の座フレーム１１が支軸２０，２１を介して前脚２の左右脚柱２ａ、２ｂに回動可能に連結されており、後脚３は前脚２の内側に配置され、且つ、支軸２０、２１の下方において、後脚３の左右脚柱３ａ、３ｂが前脚２の左右脚柱２ａ、２ｂの内側に支軸２２、２３を介して連結されるとともに、後脚３の左右側杆３ａ、３ｂの上端に設けられた伸縮ロッド５、６の上端部が支軸２２、２３の前方において、座９の座フレーム１１の左右側杆１１ｃ、１１ｄの内側に支軸２４、２５を介して回動可能に連結されている。また、座フレーム１１は、前杆１１ａと左右側杆１１ｃ、１１ｄを金属製丸パイプにより一体に形成し、後杆１１ｂの両端を連結板２６，２７を介して左右側杆１１ｃ、１１ｄの後端に連結固定したものとなっており、折畳み椅子を折り畳んだとき、図１０に示すように、後脚３の左右側杆３ａ、３ｂが座フレーム１１の左右側杆１１ｃ、１１ｄと後杆１１ｂの左右両端との間に入り略扁平状に整列し得るものとなっている。
【００３５】
この第２実施例においても、座板１０の左右側縁及び後縁に沿って座板１０の表面に横ずれ規制部としての表側凸縁部１８が形成されている。他の構成は上記第１実施例と同様である。
【００３６】
したがって、この第２実施例の折畳み椅子を折り畳んで上下に積み重ねた時、上側の折畳み椅子における座フレーム１１の左右側杆１１ｃ、１１ｄ及び後杆１１ｂが下側の折畳み椅子における表側凸縁部１８の内側に嵌り込むことにより、折畳み椅子の横ずれを防止することができる。
【００３７】
以上、図示実施例につき説明したが、本発明は上記実施例の態様のみに限定されるものではなく、特許請求の範囲に記載した発明の範囲内においてその構成要素に種々の変更を加えることができる。例えば、上記実施例においては、座板１０の裏面にフレーム保持部としての裏側凸縁部１９が設けられているが、図１１に示すように、座フレーム１１を断面略四角形の角パイプにより形成してもよく、また、断面略コ字形のフレーム材（図示省略）により形成してもよい。同様に、前脚２及び後脚３も断面円形の丸パイプ製のものに限られず、断面四角形の角パイプで形成してもよい。また、座フレーム１１はループ状のものに限られず、例えば前杆を省略して左右側杆１１ｃ、１１ｄの前端を開放端としてもよい。さらに、前脚２は上端を開放端としたものに限られず、下端を開放端としたものであってもよい。
【００３８】
【００３９】
【発明の効果】
以上の説明から明らかなように、本発明によれば、椅子の座の強度を低下させたり、座の使い心地を低下させることなく、椅子を折り畳んで積み上げる際に容易に且つ確実に椅子の横ずれを防止できる折畳み椅子を提供することができる。
【図面の簡単な説明】
【図１】  本発明の第１実施例を示す折畳み椅子の斜視図である。
【図２】  図１に示す折畳み椅子の縦断面右側面図である。
【図３】  図１に示す折畳み椅子の図２中３−３線に沿った断面図である。
【図４】  図１に示す折畳み椅子を２つ折り畳んで上下に重ねた状態を示す斜視図である。
【図５】  図４に示す２つの折畳み椅子の要部縦断面図である。
【図６】  （ａ）、（ｂ）、（ｃ）はそれぞれ図４に示す２つの折畳み椅子の図５中６ａ−６ａ線、６ｂ−６ｂ線及び６ｃ−６ｃ線に沿った断面図である。
【図７】  本発明の第２実施例を示す折畳み椅子の斜視図である。
【図８】  図７に示す折畳み椅子の一部縦断面正面図である。
【図９】  図７に示す折畳み椅子の縦断面右側面図である。
【図１０】  図１に示す折畳み椅子を２つ折り畳んで上下に重ねた状態を示す図６と類似の断面図である。
【図１１】  本発明のさらに他の実施例を示す折畳み椅子の要部断面図である。
【符号の説明】
２  前脚
３  後脚
４  背もたれ
５、６  伸縮ロッド
９  座
１０  座板
１１  座フレーム
１１ａ  前杆
１１ｂ  後杆
１１ｃ、１１ｄ  左右の側杆
１８  表側凸縁部（横ずれ規制部）
１９  裏側凸縁部（フレーム保持部）
【図１】
0003797655.tif 000002
【図２】
0003797655.tif 000003
【図３】
0003797655.tif 000004
【図４】
0003797655.tif 000005
【図５】
0003797655.tif 000006
【図６】
0003797655.tif 000007
【図７】
0003797655.tif 000008
【図８】
0003797655.tif 000009
【図９】
0003797655.tif 000010
【図１０】
0003797655.tif 000011
【図１１】
0003797655.tif 000012